【事件の表示】
　平成　８年特許願第３１１０６３号「遊技機製造用ルーター加工装置」拒絶査定不服審判事件〔平成１０年　６月　９日出願公開、特開平１０−１５１２３９〕について、次のとおり審決する。
【結　論】
　本件審判の請求は、成り立たない。
【理　由】
１．手続きの経緯
　本願は平成８年１１月２１日に出願されたものであって、平成１６年７月２２日付の拒絶理由が通知され、平成１６年９月１日付で意見および手続補正がなされ、平成１７年１月６日付で拒絶査定がなされたのに対して平成１７年２月１０日付で審判請求がなされ、平成１７年３月１０日付で手続補正がなされたものである。
　　　　　　　　　　　　　　　　　　　　　　　　　　　　　　　　
２．平成１７年３月１０日付の手続補正についての補正却下の決定
［補正却下の決定の結論］
　平成１７年３月１０日付の手続補正を却下する。
　　　　　　　　　　　　　　　　　　　　　　　　　　　　　　　　
［理由］
［１］補正の内容と補正の適否
（１）補正の内容
　平成１７年３月１０日付の手続補正（以下、「本件補正」という。）は、平成１６年９月１日付の手続補正で補正された特許請求の範囲である
　「【請求項１】
集塵カバーが
を位
た
と
と
ー
してテーブル上の遊技盤に回転駆動する
構造の
的に
　
防塵カバーには集塵手段が設けられ、集塵手段は、防塵カバーの内部で刃物より舞い上がる切削屑を吸引するための集塵ダクトと、集塵ダクトから吸引された切削屑と空気とを分離する集塵機と、集塵ダクトに吸引用の空気流を作ると共に集塵機で切削屑から分離された空気を防塵カバーの内部に供給するためのモーターで駆動されたファンを有する吸引力発生源とを備え
【請求項２】　防塵カバーが、ルーター加工ユニットの遊技盤を受け入れる搬入部に対応する入口と、ルーター加工ユニットの遊技盤を取り出す搬出部に対応する出口とを有したことを特徴とする請求項１記載の遊技機製造用ルーター加工装置。
【請求項３】　防塵カバーの入口と出口とが内側扉と外側扉とからなる２重扉構造に形成されたことを特徴とする請求項１記載の遊技機製造用ルーター加工装置。」（以下、「補正前の請求項１〜３に係る発明」という。）を、
　　　　　　　　　　　　　　　　　　　　　　　　　　　　　
　「【請求項１】集塵カバーが遊技盤を位置決め搭載したテーブルとテーブルの上方に設置された刃物とを加工データーによる位置と順序とに従って平面内の縦横に相対的に移動してテーブル上の遊技盤に回転駆動する刃物で開口を形成する構造の遊技機製造用ルーター加工ユニットを全体的に被覆し、
　防塵カバーには集塵手段が設けられ、集塵手段は、防塵カバーの内部で刃物より舞い上がる切削屑を吸引するための集塵ダクトと、集塵ダクトから吸引された切削屑と空気とを分離する集塵機と、集塵ダクトに吸引用の空気流を作ると共に集塵機で切削屑から分離された空気を防塵カバーの内部に供給するためのモーターで駆動されたファンを有する吸引力発生源とを備え、
　
防塵カバーが、ルーター加工ユニットの搬入部に防塵カバーの外側から遊技盤または遊技盤の積み重ねられたブロックを受け入れるための開閉可能な扉を備えた入口と、ルーター加工ユニットの搬出部から防塵カバーの外側に遊技盤または遊技盤の積み重ねられたブロックを取り出すための開閉可能な扉を備えた出口とを有し
【請求項２】
　入
に備えた扉
口に備えた扉
が内側扉と外側扉とからなる２重扉構造に形成され、内側扉と外側扉とが互いに別々に開閉可能であって、内側扉と外側扉との間には内側扉と外側扉とが互いに閉じられた場合において遊技盤または遊技盤の積み重ねられたブロックを格納し得る空間
　　　　　　　　　　　　　　　　　　　　　　　　　　　　　　　
（２）補正の適否　　　　　　　　　　　　　　　　　　　　　　　　　
　本件補正は、補正前の請求項１に係る発明の「・・・吸引力発生源とを備え、」に続いて、「防塵カバーが、ルーター加工ユニットの搬入部に防塵カバーの外側から遊技盤または遊技盤の積み重ねられたブロックを受け入れるための開閉可能な扉を備えた入口と、ルーター加工ユニットの搬出部から防塵カバーの外側に遊技盤または遊技盤の積み重ねられたブロックを取り出すための開閉可能な扉を備えた出口とを有し」なる構成を付加し、次いで、補正前の請求項２に係る発明を繰り入れ、さらに、防塵カバーの入口と出口の関係から生じる構成である「遊技盤の積み重ねられたブロック」を付加することにより、補正前の請求項１に係る発明の「防塵カバー」を限定するものである。
　また、補正後の請求項２に係る発明は、補正前の請求項１に係る発明の防塵カバーに限定を付加したものであるから、補正前の請求項２を限定するものである。
　そして、本件補正は補正前の請求項３に係る発明を削除するものである。
　よって、補正後の請求項１〜２に係る発明とする本件補正は特許請求の範囲を減縮しおよび請求項を削除するものであるから、本件補正は、平成１８年改正前特許法第１７条の２第４項第２号および第１号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　　　　
［２］独立特許要件の検討
（１）引用例について
　原査定の拒絶理由に引用された刊行物である特公平３−６６９０９号公報（以下、「引用例」という。）には、以下の技術事項が図１〜図２８とともに記載されている。
　　　　　　　　　　　　　　　　　　　　　　　　　　　　　　　　　
・記載事項１
　「一方、工業用ロボツトを使用しての一般的な自動化製造技術の分野において、従来から一般的に知られているものに、たとえば、特開昭58−22412号公報に記載のものがあつた。この従来の自動化製造技術は、加工対象物であるワークが複数種類存在するとともに、その複数種類のワークに対応した加工用制御プログラムが複数種類記憶されており、ワーク判別ユニツトにより搬送されてきたワークの形状や大きさを判別して加工せんとするワークの種類の割出し、その割出された種類に相当するプログラムを特定し、その特定されたプログラムに基づいて搬送されたきたワークに加工処理を施すように構成されていた。
  この工具用ロボツトを利用した一般的な自動化製造技術を弾球遊技機の技術分野における遊技盤の製造に応用した場合には次のような技術的問題が生ずる。」（公報２頁第３欄２１行〜３７行）
　　　　　　　　　　　　　　　　　　　　　　　　　　　　　　　　
・記載事項２
　「まず、工程１では、移動テーブル１上に板状部材２を固定する。・・・
  板状部材２が固定された移動テーブル１は、移動レール６ａ，６ｂ上に載せられており、テーブル固定ピン７ａ，７ｂで固定されている。そして、この移動レール６ａ，６ｂが移動することにより、移動テーブル１も順次移動し、その移動に伴なつて板状部材に以下の加工が施され、遊技盤が製造される。
  工程２では、製造すべき遊技盤の周囲を特定する識別標識であるバーコード３が貼付される。・・・
  そして、次の工程３では、このバーコード３が読取られ、その読取られたバーコード（識別標識）は制御手段１０（後述する第４図に示す）に与えられる。・・・
　工程４では、工程３で読取られたバーコード３に基づいて、化粧板貼付機の複数の動作プログラムのうち、そのバーコード３に対応の動作プログラムが選択される。・・・
　すなわち、工程５では、装飾部材、入賞装置等の位置決め用のピン孔のおよびビス止めの際にビスをねじ込むときのビス案内孔が所定の位置に形成される。
　工程６では、プログラムに従つて所定のゲージ原板が選択され、その原板を用いて釘打ち位置が規定される。
　工程７では、ルータマシンによつて、板状部材２が所望の形状にカツトされる。
　工程８では工程５において規定された釘打ち位置に釘が打ち込まれる。
　工程９では所定の位置に風車が取付けられる。
　工程１０では入賞装置が所定の位置に配置される。
　工程11では遊技盤の盤面を取囲む案内レールが取付けられる。
　工程12では工程10において配置された入賞装置がビスによつて固定される。以上の各工程において、それぞれ各工程ごとに表示手段によつて加工した板状部材の台数といかなる種類の遊技盤に加工したかが表示される。」（公報３頁第５欄３７行〜４頁第７欄１８行）　
　　　　　　　　　　　　　　　　　　　　　　　　　　　　　
・記載事項３
　「第８図は、工程７（第１図参照）で用いられるルータマシンの一例の斜視図である。図において、ルータマシン８０は、水平ベース８１と垂直ベース８２とを備え、水平ベース８１上には移動ベツド８３が設けられ、水平ベース８２には移動ヘツド８４が設けられた構造となつている。移動ベツド８３は板状部材２が固定された移動テーブル１を上に載せて、水平方向（Ｘ軸、Ｙ軸方向）に移動することができる。また、移動ヘツド８４には板状部材２の切削加工を行なうためのドリル８５が固定されていて、この移動ヘツド８４は垂直方向（Ｚ軸方向）に移動することができる。それゆえ移動ベツド８３およびドリル８５の固定された移動ヘツド８４によつて、板状部材２は任意の形状に切削加工される。なお、板状部材２をドリル８５で切削加工する際に生じる切り屑等は集塵パイプ８６によつて吸い上げられ、ごみが出ないように工夫されている。
  第８図に示すルータマシン８０では、同時に最大４枚の板状部材２を加工することが可能である。なお、同時に加工できる枚数は、必要に応じて変えることができる。」（公報５頁第１０欄４４行〜６頁第１１欄２１行）
　　　　　　　　　　　　　　　　　　　　　　　　　　　　　　
　以上の記載事項１〜３及び第１〜１８図によれば、引用例には以下の発明が記載されていると認められる。（以下、「引用例発明」という。）
　　　　　　　　　　　　　　　　　　　　　　　　　　　　　
　「板状部材２が固定された移動テーブル１と移動テーブル１の上方に設置されたドリル８５とを水平方向（Ｘ軸、Ｙ軸）に移動して移動テーブル１上の板状部材２に回転駆動するドリル８５で切削加工する構造の遊技盤の製造設備装置のルータマシン８０において、集塵手段が設けられ、その集塵手段は、刃物より生じる切り屑等を吸引するための集塵パイプ８６を備えた遊技盤の製造設備装置のルータマシン８０。」
　　　　　　　　　　　　　　　　　　　　　　　　　　　　
（２）対比
　引用例発明と本願補正発明を対比すると、引用例発明の「板状部材２」は本願補正発明の「遊技盤」に相当し、以下同様に、「固定された」は「位置決め搭載した」に、「移動テーブル１」は「テーブル」に、「水平方向（Ｘ軸、Ｙ軸）に」は「平面内の縦横に相対的に」に、「ドリル８５」は「刃物」に、「切削加工」は「開口を形成」に、「遊技盤の製造設備装置のルータマシン８０」は「遊技機製造用ルーター加工ユニット」に、「集塵パイプ８６」は「集塵ダクト」に、「生じる」は「舞い上がる」に、「切り屑等」は「切削屑」にそれぞれ相当している。
　なお、本願補正発明において、「集塵カバー」なる用語を用いているが、カバーに関しては、防塵カバーなる用語が明細書、図面および特許請求の範囲の記載に示されている一方で、特許請求の範囲以外において集塵カバーなる用語は見出せないことから、「集塵カバー」は「防塵カバー」の誤記と解される。以下そのように解して検討を進める。
　　　　　　　　　　　　　　　　　　　　　　　　　　　　　　
　そして、引用例発明については、以下のことがいえる。
　　　　　　　　　　　　　　　　　　　　　　　　　　　　　
１）実質的具備事項１
　引用例の記載事項１の「一方、工業用ロボツトを使用しての一般的な自動化製造技術の分野において、・・・この従来の自動化製造技術は、・・・複数種類のワークに対応した加工用制御プログラムが複数種類記憶されており、ワーク判別ユニツトにより搬送されてきたワークの形状や大きさを判別して加工せんとするワークの種類の割出し、その割出された種類に相当するプログラムを特定し、その特定されたプログラムに基づいて搬送されたきたワークに加工処理を施すように構成されていた。・・・」なる記載およびルーター加工のみならず一般的な切削加工を行うＮ／Ｃ制御機械等の切削加工機械における技術常識を基づけば、プログラムに入力されたデータによる位置と順序とにしたがって、移動テーブルを移動させて、板状部材２を固定された移動テーブルと移動テーブルの上方に設置された刃物とを用いて、板状部材２に開口を形成していることは明らかである。
　そして、引用例発明の「板状部材２」、「固定された」、「ドリル８５」、「移動テーブル１」、「切削加工」は、本願補正発明の「遊技盤」、「位置決め搭載した」、「刃物」、「テーブル」、「開口を形成」に相当していることは上記したとおりである。
　そうすると、引用例発明は、「遊技盤を位置決め搭載したテーブルとテーブルの上方に設置された刃物とを加工データーによる位置と順序とに従って移動させて、板状部材２に開口を形成している」なる構成を実質的に具備しているということができる。
　　　　　　　　　　　　　　　　　　　　　　　　　　　　　　　　
２）実質的具備事項２
　引用例の記載事項３の「 第８図は、工程７（第１図参照）で用いられるルータマシンの一例の斜視図である。・・・移動ベツド８３は板状部材２が固定された移動テーブル１を上に載せて、水平方向（Ｘ軸、Ｙ軸方向）に移動することができる。また、移動ヘツド８４には板状部材２の切削加工を行なうためのドリル８５が固定されていて、この移動ヘツド８４は垂直方向（Ｚ軸方向）に移動することができる。それゆえ移動ベツド８３およびドリル８５の固定された移動ヘツド８４によつて、板状部材２は任意の形状に切削加工される。なお、板状部材２をドリル８５で切削加工する際に生じる切り屑等は集塵パイプ８６によつて吸い上げられ、ごみが出ないように工夫されている。・・・」なる記載および第８図に基づけば、板状部材の切削加工する開口部分の周辺を覆いで覆っていることが見て取れ、かつ、板状部材２を任意の形状に切削加工する際に生じる切り屑等は、その覆いの中の切り屑等を集塵パイプ８６によって吸い上げることにより、ゴミがでないように工夫しているのであるから、その覆いは防塵カバーと言い得るものと解される。
　そうすると、引用例発明は、防塵カバーを実質的に有しているということができる。
　　　　　　　　　　　　　　　　　　　　　　　　　　　　　
　以上の実質的具備事項１〜２を考慮すると、本願補正発明と引用例発明は、以下の点で一致するとともに相違している。
　　　　　　　　　　　　　　　　　　　　　　　　　　　　
＜一致点＞　　　　　　　　　　　　　　　　　　　　　　　　
　「遊技盤を位置決め搭載したテーブルとテーブルの上方に設置された刃物とを加工データーによる位置と順序とに従って平面内の縦横に相対的に移動してテーブル上の遊技盤に回転駆動する刃物で開口を形成する構造の遊技機製造用ルーター加工ユニットにおいて、防塵カバーが設けられ、
　防塵カバーには、集塵手段が設けられ、
　集塵手段は、防塵カバーの内部で刃物より舞い上がる切削屑を吸引するための集塵ダクトを有する遊技機製造用ルーター加工装置。」
　　　　　　　　　　　　　　　　　　　　　　　　　　　　　　
＜相違点１＞
　防塵カバーが、本願補正発明においては、遊技機製造用ルーター加工装置を全体的に被覆するものであるのに対して、引用例発明においては、遊技盤に形成される開口の周辺部を被覆するものである点。
　　　　　　　　　　　　　　　　　　　　　　　　　　　　　　　
＜相違点２＞
　本願補正発明においては、集塵手段が、集塵ダクトを用いて吸引された切削屑と空気とを分離する集塵機を備え、集塵ダクトに吸引用の空気流を作ると共に集塵機で切削屑から分離された空気を防塵カバーの内部に供給するためのモーターで駆動されたファンを有する吸引力発生源とを備えるのに対して、引用例発明においては、集塵機と吸引力発生源とを備えるか否か不明である点。
　　　　　　　　　　　　　　　　　　　　　　　　　　　　　　
＜相違点３＞
　防塵カバーが、本願補正発明においては、ルーター加工ユニットの搬入部に防塵カバーの外側から遊技盤または遊技盤の積み重ねられたブロックを受け入れるための開閉可能な扉を備えた入口と、ルーター加工ユニットの搬出部から防塵カバーの外側に遊技盤または遊技盤の積み重ねられたブロックを取り出すための開閉可能な扉を備えた出口とを有しているのに対して、引用例発明は、そのような入口と出口を有していない点。
　　　　　　　　　　　　　　　　　　　　　　　　　　
（３）判断
　上記相違点について、検討する。
＜相違点１について＞
　ワークに対して切削加工や種々の作業を行う切削加工機械やロボット等を有する一般的製造ラインにおいて、切削加工機械を全体的に防塵カバーで覆い、カバーされた空気と共に防塵カバー内の切削屑を吸引式集塵ダクトを介して吸引して集塵し、防塵カバー内には吸引された空気に相当する新たな空気が吸い込まれることは周知技術にすぎない（以下、「周知技術Ａ」という。必要であれば、拒絶査定時に示した実願平３−９２６０５（実開平５−３７４３９号）のＣＤ−ＲＯＭ、実願平１−６４８９５号（実開平３−７４４４号）のマイクロフィルム、特公平２−１６２５４号公報、特開平６−３４４２４８号公報等参照されたい。）。
　そして、引用例発明と周知技術Ａは、遊技盤等のワークを切削加工する際に、防塵カバー内に空気を吸い込むと共に、防塵カバー内の切削した切削屑を空気ともに集塵ダクトを介して集塵して、切削屑を回収する点で共通するのであるから、相互に技術利用することに格別困難性を有するものではない。
　そうすると、引用例発明の遊技盤に形成される開口部周辺部を防塵カバーで覆うことに代えて、周知技術Ａを採用して、遊技機製造用ルーター加工装置を全体的に防塵カバーで被覆するようにすること、すなわち本願補正発明の上記相違点１に係る構成となすことは、当業者が容易になし得る程度のことということができる。
　　　　　　　　　　　　　　　　　　　　　　　　　　　　　
＜相違点２について＞
　切削加工機械やロボット等を有する一般的な製造ラインにおいて集塵手段を設ける趣旨からみて、ｉ）防塵カバー内の切削屑を空気とともに集塵ダクトを介して吸引した後に、切削屑と空気を分離して、最終的に切削屑を集積する集塵機を有すること、ｉｉ）集塵ダクトを用いて防塵カバー内の空気と切削屑を吸引するには集塵ダクトに吸引力を発生させる吸引力発生源を必要とすることおよびその吸引力発生源はモーターで駆動されたファンを有すること、ｉｉｉ）吸引力発生源は吸引した空気と切削屑を集塵機に導いて吐き出すこと、ｉｖ）集塵機において、切削屑を分離した空気は集塵機から排出されること、ｖ）防塵カバー内から空気と切削屑が吸引される場合には、防塵カバー内で吸引されて集塵機に吸い込まれる量に相応する空気が防塵カバー内に常に吸い込まれる必要があり、吸引力発生源は吸引流を生じるのみでなく吐出流を生み出すものであって、吸引力発生源が生み出す吸引流と吐出流は表裏一体の関係にあること、以上のｉ）〜ｖ）が切削加工機械における集塵手段における技術常識であることを踏まえれば、防塵カバー内に空気を吸い込むと同時に、吸引力発生源により集塵ダクトに吸引力を生じせしめて防塵カバー内にある空気と切削屑を一緒に吸引した後、空気と切削屑を分離し、分離された切削屑を集積する集塵機は周知技術にすぎない（以下、「周知技術Ｂ」という。必要であれば、上記相違点１において示した実願平３−９２６０５（実開平５−３７４３９号）のＣＤ−ＲＯＭ、実願昭６０−３５４１号（実開昭６１−１２０４４５号）のマイクロフィルム、特開平６−７１５３９号公報等参照されたい。）ということができる。
　また、周知技術Ｂに示したように、防塵カバー内から吸引された空気量に相当する空気を防塵カバー内に吸い込むことは周知技術であり、そして、防塵カバー内に空気を吸い込む際に、その空気を、吸引力発生源の吐出流を利用して供給する方式（上記実願平３−９２６０５（実開平５−３７４３９号）のＣＤ−ＲＯＭ）を採用するか、または、外気を単に防塵カバー内に流入させて供給する方式（実願昭６０−３５４１号（実開昭６１−１２０４４５号）のマイクロフィルムおよび特開平６−７１５３９号公報）を採用するかは、両者いずれの場合でも、防塵カバー内に吸引された空気量に相当する空気を吸い込むことができる機能において何ら相違がないので、両者を適宜必要に応じて選択して利用しえる設計事項に過ぎない。
　そして、引用例発明と周知技術Ｂは、遊技盤等のワークを切削加工する際に、防塵カバー内に空気を吸い込むと共に、防塵カバー内の切削した切削屑を空気ともに集塵ダクトを介して集塵して、切削屑を回収する点で共通するのであるから、引用例発明と周知技術Ｂを相互に技術利用することは格別困難性を有するものということができない。
　してみると、上記技術常識を参酌しつつ、引用例発明の防塵カバーに、周知技術Ｂを採用して、集塵ダクトを用いて吸引された切削屑と空気とを分離する集塵機を備えるようにするとともに、設計変更を行って、集塵ダクトに吸引用の空気流を作ると共に集塵機で切削屑から分離された空気を防塵カバーの内部に供給するためのモーターで駆動されたファンを有する吸引力発生源とを備えるようにすること、すなわち本願補正発明の上記相違点２に係る構成となすことは、当業者が容易になし得る程度のことということができる。
　　　　　　　　　　　　　　　　　　　　　　　　　　　　　　　
＜相違点３について＞
　切削加工機械やロボット等を有する一般的な製造ラインにおいて、ワークに対して切削加工や種々の作業を行う切削加工機械やロボット等を全体的に防塵カバーで覆うと共に、防塵カバーの適宜箇所にワークの出し入れを行うことができる入口および出口を設けることは周知な技術に過ぎない（以下、「周知技術Ｃ」という。必要であれば、周知技術Ａに用いた実願平１−６４８９５号（実開平３−７４４４号）のマイクロフィルムと同特公平２−１６２５４号公報と同特開平６−３４４２４８号公報等参照されたい。）
　そして、引用例発明と周知技術Ｃは、切削加工機械やロボット等を有する一般的な製造ラインにおいて、ワークに対して切削加工や種々の作業を行う切削機械やロボット等を全体的に防塵カバーで覆い、防塵カバー内に空気を送り込むと共に、防塵カバー内の切削した切削屑を空気と一緒に集塵ダクトを介して集塵した後、切削屑を回収する点で共通するのであるから、相互に技術利用することに格別困難性を有するものではない。
　そうすると、引用例発明の遊技盤に形成される開口部周辺部を防塵カバーで覆うことに代えて、周知技術Ｃを採用して、遊技機製造用ルーター加工装置を全体的に防塵カバーで被覆するようにし、その際に、防塵カバーが、ルーター加工ユニットの搬入部に防塵カバーの外側から遊技盤を受け入れるための開閉可能な扉を備えた入口と、ルーター加工ユニットの搬出部から防塵カバーの外側に遊技盤を取り出すための開閉可能な扉を備えた出口とを有するようにすること、すなわち本願補正発明の上記相違点３に係る構成となすことは、当業者が容易になし得る程度のことということができる。
　　　　　　　　　　　　　　　　　　　　　　　　　　
（４）作用効果およびむすび
　よって、本願補正発明は、引用例発明、周知技術Ａ、周知技術Ｂおよび周知技術Ｃ並びに技術常識に基づいて、当業者が容易に想到することができたものであり、本願補正発明によって奏する効果も、引用例発明、周知技術Ａ、周知技術Ｂおよび周知技術Ｃ並びに技術常識に基づいて、普通に予測できる範囲内のものであって格別のものがあると認められないから、特許法第２９条第２項により特許出願の際独立して特許を受けることができないものである。
　　　　　　　　　　　　　　　　　　　　　　　　　　　　　
（５）補正却下の判断
　上記のとおり、本願補正発明は、平成１８年改正前特許法第１７条の２第５項で準用する同法第１２６条第５項の規定に違反するものであるので、本件補正である平成１７年３月１０日付の手続補正は、特許法第１５９条第１項で準用する同法第５３条第１項の規定により却下されるべきものである。
　　　　　　　　　　　　　　　　　　　　　　　　　　　　　　
３．本願発明について
　平成１７年３月１０日付の手続補正は上記のとおり却下されたので、平成１６年９月１日付の手続補正書における特許請求の範囲の請求項１に係る発明は、次のとおりに特定されるものである。
　　　　　　　　　　　　　　　　　　　　　　　　　　　　　
　「集塵カバーが遊技盤を位置決め搭載したテーブルとテーブルの上方に設置された刃物とを加工データーによる位置と順序とに従って平面内の縦横に相対的に移動してテーブル上の遊技盤に回転駆動する刃物で開口を形成する構造の遊技機製造用ルーター加工ユニットを全体的に被覆し、防塵カバーには集塵手段が設けられ、集塵手段は、防塵カバーの内部で刃物より舞い上がる切削屑を吸引するための集塵ダクトと、集塵ダクトから吸引された切削屑と空気とを分離する集塵機と、集塵ダクトに吸引用の空気流を作ると共に集塵機で切削屑から分離された空気を防塵カバーの内部に供給するためのモーターで駆動されたファンを有する吸引力発生源とを備えたことを特徴とする遊技機製造用ルーター加工装置。」（以下、「本願発明」という。）
　　　　　　　　　　　　　　　　　　　　　　　　　　　　　　　
（１）引用例について
　引用例の記載事項は、上記［２］独立特許要件の検討（１）引用例についてに記載したとおりである。
　　　　　　　　　　　　　　　　　　　　　　　　　　　　　　　
（２）対比・判断
　本願発明は、上記［２］独立特許要件の検討（３）判断で検討した本願補正発明の「防塵カバーが、ルーター加工ユニットの搬入部に防塵カバーの外側から遊技盤または遊技盤の積み重ねられたブロックを受け入れるための開閉可能な扉を備えた入口と、ルーター加工ユニットの搬出部から防塵カバーの外側に遊技盤または遊技盤の積み重ねられたブロックを取り出すための開閉可能な扉を備えた出口とを有し」を削除したものである。
　そうすると、本願発明の構成要件をすべて含み、さらに他の構成要素を付加したものに相当する本願補正発明が、上記［２］独立特許要件の検討（３）判断〜（４）作用効果およびむすびに記載したとおり、引用例発明、周知技術Ａ、周知技術Ｂおよび周知技術Ｃ並びに技術常識に基づいて、当業者が容易に発明することができたものであるので、特許法第２９条第２項の規定により特許を受けることができないものである。
　したがって、本願発明も、同様の理由により、引用例発明、周知技術Ａ、周知技術Ｂおよび周知技術Ｃ並びに技術常識に基づいて、当業者が容易に発明をすることができたものである。
　　　　　　　　　　　　　　　　　　　　　　　　　　　　　
（３）むすび
　以上のとおり、本願発明は、引用例発明、周知技術Ａ、周知技術Ｂおよび周知技術Ｃ並びに技術常識に基づいて、当業者が容易に発明をすることができたものであるから、特許法第２９条第２項の規定により特許を受けることができない。
　したがって、他の請求項について検討するまでもなく本願は拒絶されるべきものである。
　よって、結論のとおり審決する。